(57)【要約】      （修正有）【課題】ＢＤ／ＨＤＤＶＤ／ＤＶＤ／ＣＤ互換の記録再生対応の光ヘッドおよび光ディスク装置を提供する。【解決手段】波長４５５ｎｍ帯、６５５ｎｍ帯、長７８５ｎｍ帯の半導体レーザ２ａ、２ｃと、波長４５５ｎｍ帯の光束に対する偏光切り換え素子５および偏光性ビームスプリッタ６を有し、偏光性ビームスプリッタ６を透過した光束を略平行光束に変換する第一のコリメートレンズ８ａと、第一の１／４波長板９ａと、ＢＤ専用対物レンズ１１ａと、第一の光検出器１４ａを備えると共に、偏光性ビームスプリッタ６を反射した光束を反射すると共に、波長６５５ｎｍ帯および７８５ｎｍ帯の半導体レーザ２ｃからの光束の大部分を透過する合成プリズム７と、前記合成プリズム７を出射した光束を略平行光束に変換する第ニのコリメートレンズ８ｂと、第二の１／４波長板９ｂと、ＨＤＤＶＤ／ＤＶＤ／ＣＤ互換対物レンズ１１ｂと、第二の光検出器１４ｂを備える。【選択図】図１
2009009676.tif 000002
【特許請求の範囲】
【請求項１】
ＣＤ、ＤＶＤ、ＢＤおよびＨＤ  ＤＶＤ対応の光ヘッドであって、
ＣＤ用レーザ光源とＤＶＤ用レーザ光源を搭載したレーザパッケージと、
ＢＤおよびＨＤ  ＤＶＤ用の青系レーザ光源と、
前記青系レーザ光源から出射されＢＤにて反射された光を受光する第１の光検出器と、
前記レーザパッケージから出射されＣＤとＤＶＤにて反射された光と、前記青系レーザ光源から出射されＨＤ  ＤＶＤにて反射された光とを受光する第２の光検出器と、
を有する、
光ヘッド。
【請求項２】
請求項１記載の光ヘッドであって、
前記青系レーザ光源から出射される光の偏光を変更する偏光方向変更手段と、
前記偏光方向変更手段を通過した光を透過させ、ＢＤからの反射光を反射させるビームスプリッタと、
前記偏光方向変更手段を通過した光を反射させ、ＨＤ  ＤＶＤからの反射光を透過させる合成プリズムと、
を有する、
光ヘッド。
【請求項３】
請求項２記載の光ヘッドであって、
前記青系レーザ光源から出射された光をＢＤに集光する第１の対物レンズと、
前記レーザパッケージから出射された光をＣＤとＤＶＤに集光し、前記青系レーザ光源から出射された光をＨＤ  ＤＶＤに集光する第２の対物レンズと、
を有し、
前記第１の対物レンズと前記第２の対物レンズは、ディスクに対し半径方向に配置される、
光ヘッド。
【請求項４】
第一の波長を有する光を出射する第一の半導体レーザと、
第二の波長を有する光を出射する第二の半導体レーザと、
第三の波長を有する光を出射する第三の半導体レーザと、
第一の半導体レーザから出射された光束の偏光方向がＰ偏光である場合には入射光束の大部分を透過し、Ｓ偏光である場合には入射光束の大部分を反射する偏光性ビームスプリッタと、
第一の半導体レーザと前記偏光性ビームスプリッタとの間に前記偏光性ビームスプリッタに入射する光束の偏光方向を略Ｐ偏光または略Ｓ偏光の少なくとも２つの状態に切り換えることのできる偏光切り換え素子を有し、
前記偏光性ビームスプリッタを透過した光束を略平行光束に変換する第一のコリメートレンズと、入射した光束の偏光方向を略円偏光に変換する第一の１／４波長板と、第一の光ディスクの信号記録面に前記略平行光束を絞り込む第一の対物レンズと、第一の光ディスクからの反射光を受光する第一の光検出器を備えると共に、
前記偏光性ビームスプリッタを反射した光束の大部分を反射すると共に、第二の半導体レーザおよび第三の半導体レーザから出射された光束の大部分を透過する特性を有する合成プリズムと、前記合成プリズムを出射した光束を略平行光束に変換する第二のコリメートレンズと、入射した光束の偏光方向を略円偏光に変換する第二の１／４波長板と、第一の波長を有する光束を第二の光ディスクの信号記録面に、第二の波長を有する光束を第三の光ディスクの信号記録面に、第三の波長を有する光束を第四の光ディスクの信号記録面に絞り込む第二の対物レンズと、第二、第三、第四の光ディスクからの反射光を受光する第二の光検出器を備えることを特徴とする光ヘッド。
【請求項５】
第一の対物レンズと第二の対物レンズは、一つのアクチュエータに保持されており、前記２つの対物レンズは光ディスクの略半径方向に並べられていることを特徴とする請求項４に記載の光ヘッド。
【請求項６】
前記偏光性ビームスプリッタと前記合成プリズムとの間に、前記第一の波長を有する光束を少なくとも３つの光束に分割する作用を有する回折格子を配置したことを特徴とする請求項４または５に記載の光ヘッド。
【請求項７】
第一の１／４波長板と前記偏光性ビームスプリッタとの間に、偏光性回折格子を配置し、前記偏光性回折格子は、前記偏光性ビームスプリッタに対してＳ偏光となる光束が入射した場合には光束を分割する回折格子として作用し、Ｐ偏光となる光束が入射した場合には回折格子としての作用を有さないことを特徴とする請求項４から６のいずれかに記載の光ヘッド。
【請求項８】
前記偏光切り換え素子と前記偏光性ビームスプリッタとの間に、偏光性回折格子を配置し、前記偏光性回折格子は、前記偏光性ビームスプリッタに対してＰ偏光となる光束が入射した場合には光束を少なくとも３つに分割する回折格子として作用し、Ｓ偏光となる光束が入射した場合には回折格子としての作用を有さないことを特徴とする請求項４から６のいずれかに記載の光ヘッド。
【請求項９】
前記合成プリズムは、第一の波長を有するＳ偏光の光束が入射した場合には、略１００％の反射率を有し、第一の波長を有するＰ偏光の光束が入射した場合には、略１００％の透過率を有すると共に、第二および第三の波長を有する光束に対しては、Ｐ偏光およびＳ偏光共、透過率が略１００％であることを特徴とする請求項４から８のいずれかに記載の光ヘッド。
【請求項１０】
前記合成プリズムと第二の光検出器との間には、第一、第二、第三のいずれの波長に対してもＰ偏光は略１００％透過し、Ｓ偏光は略１００％反射する特性を有する広帯域偏光性ビームスプリッタが配置されていることを特徴とする請求項４から９のいずれかに記載の光ヘッド。
【請求項１１】
前記偏光切り換え素子は、液晶素子を含んでおり、前記液晶素子を駆動することにより、前記偏光性ビームスプリッタに入射する光束の偏光状態を変えることを特徴とする請求項４から１０のいずれかに記載の光ヘッド。
【請求項１２】
第二の半導体レーザと、第三の半導体レーザは、同一パッケージに収められた２波長レーザであることを特徴とする請求項４から１１のいずれかに記載の光ヘッド。
【請求項１３】
第一の波長は４０５ｎｍ帯、第二の波長は６５５ｎｍ帯、第三の波長は７８５ｎｍ帯であり、第一の光ディスクは保護層の厚さが０．１ｍｍ、第二の光ディスクは保護層の厚さが０．６ｍｍ、第三の光ディスクは保護層の厚さが０．６ｍｍ、第四の光ディスクは保護層の厚さが１．２ｍｍであることを特徴とする請求項４から１２のいずれかに記載の光ヘッド。
【請求項１４】
請求項４乃至請求項１３のいずれかに記載の光ヘッドを搭載したことを特徴とする光ディスク装置。
【発明の詳細な説明】
【技術分野】
【０００１】
本発明は、光ヘッドおよび光ディスク装置に関する。
【背景技術】
【０００２】
Ｄｉｇｉｔａｌ  Ｖｅｒｓａｔｉｌｅ  Ｄｉｓｃ（以下、ＤＶＤと表記）やＣｏｍｐａｃｔ  Ｄｉｓｃ（以下、ＣＤと表記）等の光ディスク装置は、非接触、大容量、高速アクセス、低コストメディアを特徴とする情報記録再生装置として広く普及している。また、近年では更なる大量の情報を記録保存するために、波表約４０５ｎｍ帯のレーザを用いたＢｌｕ−ｒａｙ  Ｄｉｓｃ（以下、ＢＤと表記）やＨｉｇｈ−Ｄｅｆｉｎｉｔｉｏｎ  ＤＶＤ（以下、ＨＤ ＤＶＤと表記）といった規格の異なる高密度光ディスク装置が開発されている。
【０００３】
このような状況下、市場において、ＤＶＤ、ＣＤは勿論、ＢＤとＨＤ ＤＶＤの両方の規格にも対応した互換光ヘッドが強く求められている。
【０００４】
そこで、特開２００６−２６８８９９号公報では、３つのレーザを１つのパッケージに収めた３波長レーザを使用し、偏光状態変更手段を用いることにより、ＢＤ/ＨＤ ＤＶＤ/ＤＶＤ/ＣＤ互換光ヘッドを達成している。また、特開２００６−２４３５１号公報では、ブラッググレーティングを用いて、光路を切り換えることにより、同じく、ＢＤ/ＨＤ ＤＶＤ/ＤＶＤ/ＣＤ互換光ヘッドを達成している。
【０００５】
【特許文献１】特開２００６−２６８８９９号公報
【特許文献２】特開２００６−２４３５１号公報
【発明の開示】
【発明が解決しようとする課題】
【０００６】
特開２００６−２６８８９９号公報における実施例１（図１）では、３波長レーザを使用しているが、青色レーザはＧａＮ基板を使用するのに対し、赤色／赤外レーザはＧａＡｓ基板を使用することから、同一基板上に３つのレーザ配置するモノリシックタイプの３波長レーザを作製することができない。このため、青色レーザとモノリシック２波長（赤色／赤外）レーザとを一直線上に配置することを考えた場合、青色レーザの発光点は、２波長レーザの発光点と大きく離れてしまい、互換対物レンズの像高特性により大きな収差が発生するという課題が生じる。また、別々の基板を張り合わせるため、モノリシック２波長レーザにおける発光点ばらつきと比較して、青色レーザと２波長レーザとの発光点ばらつき量は非常に大きくなり、光検出器に設けられた受光面の中心に光スポットを入射させることができない、という課題が生じる。また、３波長レーザは歩留りの低さから値段が高いという課題がある。
【０００７】
一方、２波長レーザの発光点の横側ではなく、上側または下側に青色レーザの発光点を配置することは可能であるが、この場合には光検出器における受光面配置の制約から、ＴＥＳ検出に、ＤＰＰ方式を用いることができない。また、３波長を１つの光検出器に入れる構成では、以下で説明する実施例１のＢＤ系のように、光ディスクからの反射光を多分割してＤＰＰ方式と同等の効果を持たせることもできない。光ディスクおよびスピンドルモータの偏心を考慮した場合、通常のプッシュ・プル方式では実用性がないため、ＴＥＳ検出として、ディファレンシャル・フェイズ・ディテクション方式（以下、ＤＰＤ方式と表記）を使わざるを得ない。その場合、ＤＰＤ方式の原理上、光ディスクへの信号記録、並びに、未記録部の存在する光ディスクの再生には対応することができない。したがって、３波長レーザを用いる場合、３つの発光点を２次元に配置する場合においても、記録に未対応、発光点ばらつきが大きい、高価という課題がある。
【０００８】
以上のように、３波長レーザを用いる特開２００６−２６８８９９号公報の光ヘッドでは記録に対応できないという点が大きな課題となる。
【０００９】
特開２００６−２４３５１号公報では、２つの対物レンズを光ディスクのラジアル方向に並べ、青色レーザからの光束を同じくラジアル方向から入射する。そして、ブラッググレーティングを用いて、ＢＤ用対物レンズおよびＨＤ ＤＶＤ用対物レンズに光束が入射するように光路を切り換える。また、光ディスクからの反射光は、ＢＤ、ＨＤ ＤＶＤ共、同一の光検出器で受光するように構成している。
【００１０】
ＢＤやＨＤ ＤＶＤは高密度に信号を記録しているため、ＣＤ、或はＤＶＤと比較して、光ヘッドに許される各種マージンが小さい、即ち、性能確保がより困難である。したがって、ＢＤ/ＨＤ ＤＶＤ/ＤＶＤ/ＣＤ互換光ヘッドを製作する場合、ＢＤおよびＨＤ ＤＶＤの特性を確保することが最重要となる。しかし、特開２００６−２４３５１号公報の構成では、１）ＢＤ、ＨＤ ＤＶＤ共、同一のコリメートレンズおよび検出レンズを使用しているため、各々に最適な往路倍率および検出系倍率を与えられない。また、２）ミラーおよび対物レンズを除くと、ＢＤとＨＤ ＤＶＤとが同一光学系となっているため、ＢＤ、又は、ＨＤ ＤＶＤのうち、片方の組み立て調整が終わった段階で、もう片方の光学系調整を行うことができない。
【００１１】
ＢＤ光学系を先に調整する場合を例にとった場合、理想的には、ＢＤ光学系を調整し終えた段階で、ブラッググレーティングを用いて、光路を切り換えるだけで、ＨＤ ＤＶＤも最良状態となる。しかし、実機においては、部品の寸法、屈折率等の誤差、組み立て誤差等により、理想条件からのずれが存在する。したがって、ＢＤにおいて、光ディスク上における３スポット間隔が最良になるように回折格子を調整したとしても、ＨＤ ＤＶＤでは間隔がずれている、或いは、ＢＤにおいて光検出器の理想位置に光スポットが入射するように調整したとしても、ＨＤ ＤＶＤでは光検出器の理想位置からずれた位置に光スポットが入射する、といった現象が生じるのである。このように、特開２００６−２４３５１号公報のようにＢＤとＨＤ ＤＶＤとが同一光路をもつ構成では、ＢＤおよびＨＤ ＤＶＤの特性を確保することが困難である。
【００１２】
本発明では、ＢＤ/ＨＤ ＤＶＤ/ＤＶＤ/ＣＤ互換の記録再生対応の光ヘッドおよび光ディスク装置を提供することを目的とする。
【課題を解決するための手段】
【００１３】
上記目的は、その一例としてレーザと光検出器の構成や配置を工夫することで達成される。
【発明の効果】
【００１４】
本発明によれば、ＢＤ/ＨＤ ＤＶＤ/ＤＶＤ/ＣＤ互換の記録再生対応の光ヘッドおよび光ディスク装置を提供することが実現できる。
【発明を実施するための最良の形態】
【００１５】
本発明を実施するための具体的構成として、実施例１を用いて以下説明をする。
【実施例１】
【００１６】
以下、本発明による実施形態について、図を用いて詳細に説明する。ここでは、実施形態の一例として、ＢＤ/ＨＤ ＤＶＤ/ＤＶＤ/ＣＤ互換光ヘッドおよびこれを搭載した光ディスク装置について説明を行う。
【００１７】
まず、図１から図３を用いて、ＢＤの光学系について説明する。図１は、本発明光ヘッドの構成を示したものであり、左右方向が光ディスクの半径方向（＝トラッキング方向）17、上下方向が光ディスクの接線方向18、紙面に垂直な方向がフォーカシング方向19である。
【００１８】
半導体レーザ2aから出射される、波長約４０５ｎｍで、偏光方向が紙面に略平行な向きの発散光は、液晶素子5に入射する。液晶素子5は、駆動電圧を印加した場合においては、入射した光束の偏光方向を紙面に略平行な向きから紙面に略垂直な向きへと変換する作用を有するのに対し、駆動電圧を印加しない場合においては、入射した光束の偏光方向を変えることなくそのまま透過させる、という作用を有する。本発明光ヘッドのＢＤ系においては、液晶素子5に電圧を印加しないので、液晶素子5に入射した光束は、その偏光方向が紙面に略平行な向きのまま液晶素子5を出射する。液晶素子5を出射した光束は、偏光性ビームスプリッタ（以下、ＰＢＳと表記）6に入射するが、入射した光束の大部分を占めるＰ偏光成分はＰＢＳ6を透過し、残りのＳ方向成分はＰＢＳ6を反射する。なお、本ＰＢＳ6は、Ｔｐ＝９８％、Ｒｓ＝９８％と、入射した光束のＰ偏光成分をほぼ１００％透過し、Ｓ方向成分をほぼ１００％反射する特性を有する。
【００１９】
ＰＢＳ6を反射した光束は回折格子3bにより３つの光束に分割された後、合成プリズム7に入射する光束は反射されるのに対し、合成プリズム7の上側を通過する光束はそのまま直進し、その一部はフロントモニタ16に入射する。本フロントモニタ16は、半導体レーザ2aから出射されるレーザ光強度の変化を検出するために設けられており、フロントモニタ16の出力を光ディスク装置におけるレーザ制御回路にフィードバックすることにより、半導体レーザ2aからの出射光強度を一定にしている。
【００２０】
一方、ＰＢＳ6を透過した偏光方向が紙面に平行な向きの光束は、コリメートレンズ8aにより略平行光束へと変換される。本コリメートレンズ8aは、図示せぬ駆動機構に取り付けられており、コリメートレンズ8aの位置を光軸方向18に移動させることにより、出射光束を略平行光から、弱収束光、或いは、弱発散光に変化させることができる構成となっている。これにより、光ディスク上に絞り込まれる光スポットの球面収差量を変化させ、光ディスクの基板厚誤差により生じる球面収差を補正することが可能となっている。
【００２１】
コリメートレンズ8aを出射した光束は、偏光性回折格子4aに入射する。本偏光性回折格子4aは、紙面に垂直な向きの偏光を有する光束が入射した場合には、回折格子として作用し、紙面に平行な向きの偏光を有する光束が入射した場合には回折格子としての作用をせず、光束をそのまま透過させる。ここでは、紙面に平行な向きの偏光を有する光束が入射するため、光束は回折させることなく透過する。
【００２２】
偏光性回折格子4aを出射した光束は、１／４波長板9aに入射し、円偏光に変換された後、図示せぬ立ち上げミラーにより、フォーカシング方向19に曲げられ、アクチュエータ10に搭載された対物レンズ11aにより、ＢＤの信号記録面に光が絞り込まれる。本対物レンズ11aは、ＮＡ＝０．８５、ガラス１枚（単玉）のＢＤ専用レンズである。
【００２３】
光ディスクを反射した光束は、対物レンズ11aにより略平行光束に変換され、図示せぬ立ち上げミラーを反射した後、再び１／４波長板9aに入射し、その偏光方向を紙面に垂直な向きへと変換される。１／４波長板9aを出射した光束は偏光性回折格子4aに入射し、複数の光束に分割される。そして、偏光性回折格子4aを出射した複数の光束は、コリメートレンズ8aにより、収束光へと変換され、ＰＢＳ6を反射した後、光検出器14aに入射する。
【００２４】
図２は、偏光性回折格子4aに形成された格子のパターンを示したものである。本偏光性回折格子4aは、１２の偏向性格子面（a〜l）から構成されており、点線31は偏光性回折格子4aに入射する光束の直径を示している。また、２点鎖線部と点線31とで囲まれた（斜線を施した）領域32は、ＢＤのトラックで反射し、回折された０次光と±１次光が重なるプッシュ・プル領域を示している。
【００２５】
本偏光性回折格子4aに入射する、その偏光方向がフォーカシング方向の光束は、１２の偏向性格子面（a〜l）の各々において、±１次光に分割されるため、合計２４の光束が出射される。ここでは、＋１次光と−１次光との強度比を１：５に設定している。また、０次光は発生しない構成としている。
【００２６】
図３は光検出器14aにおける受光面パターンを示している。本光検出器は、１８の受光面を備え、Ａ〜Jの受光面には、偏光性回折格子4aにおいて回折された−１次光が入射し、Ｍ〜Ｔの受光面には、＋１次光が入射するように構成している。なお、図３に示した丸（○）は合焦点時に各受光面に照射される光ビームを示しており、a〜lの符号は、図２における同じ符号の偏向性格子面において回折した光束であることを示している。
【００２７】
本発明光ヘッドにおけるＢＤ系では、フォーカス誤差信号（以下、ＦＥＳと表記）検出にナイフエッジ方式を、ＴＥＳ検出に、変形ＤＰＰ方式およびＤＰＤ方式を使用している。各々の演算式は以下のとおりである。
ＦＥＳ＝（Ｏ＋Ｎ）-（Ｍ＋Ｐ）
ＴＥＳ＝｛（Ａ+Ｂ+Ｅ+Ｆ）-（Ｃ+Ｄ+Ｈ+Ｇ）｝- Gain×｛（Ｑ+Ｒ）-（Ｔ+Ｓ）｝
ＤＰＤ＝｛ph（Ａ+Ｃ+Ｅ+Ｇ）- ph（Ｂ+Ｄ+Ｆ+Ｈ）｝  ：位相比較
ＲＦ＝Ａ+Ｂ+Ｃ+Ｄ+Ｅ+Ｆ+Ｇ+Ｈ+Ｉ+Ｊ
なお、ＴＥＳにおける｛（Ａ+Ｂ+Ｅ+Ｆ）-（Ｃ+Ｄ+Ｈ+Ｇ）｝は、メイン・プッシュ・プル信号にほぼ相当するものである。一方、サブ・プッシュ・プル信号は、プッシュ・プル振幅とレンズシフトに伴うＤＣオフセット成分の両方を有しているのに対し、｛（Ｑ+Ｒ）-（Ｔ+Ｓ）｝は、図２に示すようにプッシュ・プル領域以外の信号を入射しているため、プッシュ・プル振幅は持たず、レンズシフトに伴うＤＣオフセット成分のみを有している。このため、上記ＴＥＳでは、Gain×｛（Ｑ+Ｒ）-（Ｔ+Ｓ）｝を差し引いても、プッシュ・プル振幅は増加しないものの、Gainを適切に設定することにより。レンズシフトに伴うＤＣオフセットをキャンセルすることが可能である。
【００２８】
このように、本発明光ヘッドのＢＤ系におけるＴＥＳは、光ディスク上のスポットが１つであるにも拘わらず、通常のＤＰＰ方式と同等の効果を有している。このため、未記録光ディスクに信号を記録することが可能である。
【００２９】
次に、図４、図５を用いて、ＨＤ ＤＶＤの光学系について説明する。
【００３０】
半導体レーザ2aから出射される、偏光方向が紙面に略平行な向きの発散光は、駆動電圧を印加した液晶素子5により、その偏光方向が紙面に略垂直な向きへと変換される。液晶素子5を出射した光束はＰＢＳ6に入射し、光束の大部分を占めるＳ偏光成分が反射された後、回折格子3bに入射し、ＤＰＰ方式を用いたＴＥＳ検出を行うために、０次光および±１次光の3つの光束に分割される。回折格子3bを出射した光束の内、大部分の光束は合成プリズム7に入射し、入射光束のほぼ１００％が反射される。本合成プリズム7は、波長約４０５ｎｍの光束に対して、Ｔｐ＝９８％、Ｒｓ＝９８％という特性を有している。また、後で説明するように、波長約６５５ｎｍおよび波長約７８５ｎｍの光束に対しては、Ｔｐ＝９８％、Ｔｓ＝９８％という特性を有している。一方、合成プリズム7の上側を通過する光束はそのまま直進し、その一部はフロントモニタ16に入射する。
【００３１】
合成プリズム7を反射した偏光方向が紙面に垂直な向きの光束は、コリメートレンズ8bにより略平行光束へと変換された後、１／４波長板9bにおいて円偏光に変換される。本１／４波長板9bは、波表約４０５ｎｍの光束だけではなく、後で説明するように波長約６５５ｎｍおよび波長約７８５ｎｍの光束に対しても１／４波長板として作用する広帯域１／４波長板である。
【００３２】
１／４波長板9bを出射した光束は、図示せぬ立ち上げミラーにより、フォーカシング方向19に曲げられた後、アクチュエータ10に搭載された対物レンズ11bにより、ＨＤ ＤＶＤの信号記録面に光が絞り込まれる。本対物レンズ11bは、プラスチック１枚（単玉）のＨＤ ＤＶＤ／ＤＶＤ/ＣＤ互換対物レンズであり、ＨＤ ＤＶＤ光束に対しては、ＮＡ＝０．６５である。また、本対物レンズ11bは、ＨＤ ＤＶＤ光束、ＤＶＤ光束、ＣＤ光束のいずれにおいても、平行光束を入射した場合に所定の特性が得られるように設計された３波長無限系のレンズとなっている。これにより、ＨＤ ＤＶＤ、ＤＶＤ、ＣＤの各々の光束を１つの光検出器14bで受光することが可能となっている。
【００３３】
光ディスクを反射した光束は、対物レンズ11bにより略平行光束に変換され、図示せぬ立ち上げミラーを反射した後、再び１／４波長板9bに入射し、その偏光方向を紙面に平行な向きへと変換される。１／４波長板9bを出射した光束はコリメートレンズ8bにより収束光に変換された後、合成プリズム7および広帯域ＰＢＳ12を透過し、検出レンズ13bにより光検出器14bに導かれる。
【００３４】
図５は、光検出器14bにおける受光面パターンを示している。受光面は、一般的に使用される、３つの４分割ディテクタ34、35、36を配置した構成である。但し、後で説明するように本発明光ヘッドでは、ＤＶＤ／ＣＤ系において２波長レーザを使用するため、さらに３つの４分割ディテクタ37、38、39を配置している。そして、ＨＤ ＤＶＤの光束およびＤＶＤの光束は、４分割ディテクタ34、35、36に入射し、ＣＤの光束は４分割ディテクタ37、38、39に入射する。
【００３５】
本発明光ヘッドにおけるＨＤ ＤＶＤ系では、ＦＥＳ検出に非点収差方式を、ＴＥＳ検出に、ＤＰＰ方式およびＤＰＤ方式を使用している。各々の演算式は以下のとおりである。
ＦＥＳ＝（Ａ＋Ｃ）-（Ｂ＋Ｄ）
ＴＥＳ＝｛（Ａ+Ｄ）-（Ｂ+Ｃ）｝- Gain×｛（Ｅ1+Ｅ4+Ｆ1+Ｆ4）-（Ｅ２+Ｅ３+Ｆ２+Ｆ３）｝
ＤＰＤ＝｛ph（Ａ+Ｃ）- ph（Ｂ+Ｄ）｝  ：位相比較
ＲＦ＝Ａ+Ｂ+Ｃ+Ｄ
以上に示したように、本発明光ヘッドのＨＤ ＤＶＤ系におけるＴＥＳ検出には、ＤＰＰ方式を用いるため、未記録光ディスクに信号を記録することが可能である。  
また、本発明光ヘッドの光学系では、コリメートレンズがＢＤ用8aとＨＤ ＤＶＤ用8bとで異なっているため、各々に最適な光学倍率を与えることができる。また、回折格子が、ＢＤ用4aとＨＤ ＤＶＤ用3bとで異なっているため、光ヘッドの組み立て段階において、各々に対して最良となる位置／角度に回折格子4a、3bを調整することが可能である。更に、光検出器についても、ＢＤ用14aとＨＤ ＤＶＤ用14bとで異なっているため、光ヘッドの組み立て段階において、各々に対して最良となる位置に光検出器14a、14bを調整することが可能である。そして、１つの青色レーザによりＢＤとＨＤ ＤＶＤの両方に対応することができる構成であるため、小型で安価となる。
【００３６】
以上より、本発明光ヘッドでは、ＢＤ系およびＨＤ ＤＶＤ系の両方について、高い記録／再生品質を得ることができる。
【００３７】
また、本発明光ヘッドでは、ＰＢＳ6を透過する光束をＢＤ系に使用すること、並びに、合成プリズム7の反射率および透過率の特性を上記のように設定することにより、特開２００６−２６８８９９号公報の実施例１（図１）における広帯域１／２波長板（ＨＷＰ２）を削除することが可能となる。なお、本発明光ヘッドでは、ＨＤ ＤＶＤ光束に対する合成プリズム7の反射率をほぼ１００％と設定することにより、ＨＤ ＤＶＤ系における光利用効率を最大化している。
【００３８】
次に、図６を用いて、ＤＶＤおよびＣＤ光学系について以下、説明する。本発明光ヘッドでは部品点数を削減し、小型化するために、波長約６５５ｎｍで発振する半導体レーザと波長約７８５ｎｍで発振する半導体レーザとが同一基板上に集積されたモノリシックタイプの２波長レーザ2cを搭載している。
【００３９】
２波長レーザ2cから出射された波長約６５５ｎｍでその偏光方向が紙面に略平行な発散光は、図示せぬ１／２波長板に入射し、その偏光方向が紙面に略垂直な向きへと変換される。なお、前記１／２波長板は、波長約６５５ｎｍ帯および波長約７８５ｎｍ帯のいずれの光束に対しても、１／２波長板として作用する広帯域１／２波長板である。
【００４０】
図示せぬ１／２波長板を出射した光束は、波長選択性回折格子3cに入射する。本波長選択性回折格子3cは入射した波長約６５５ｎｍの光束を、０次光、並びに、０次光に対して回折角度θ１を有する±１次光に分割するのに対し、波長約７８５ｎｍの光束が入射した場合には、０次光、並びに、０次光に対して回折角度θ１とは異なる角度θ２を有する±１次光に分割する作用を有する。上記θ１およびθ２を適切に設計することにより、ＤＶＤ系、ＣＤ系の各々において、光ディスク上におけるメインスポットとサブスポットとの間隔を最適化することができる。本波長選択性回折格子3cを用いて、光束を３分割することにより、ＤＰＰ方式を用いたＴＥＳ検出を可能とし、ＤＶＤ系、ＣＤ系共に、記録まで対応することが可能となっている。
【００４１】
波長選択性回折格子3cを出射した光束は、広帯域ＰＢＳ12において、ほぼ１００％の光束が反射される。本広帯域ＰＢＳ12は、波長約４０５ｎｍ、波長約６６５ｎｍ、波長約７８５ｎｍのいずれの光束に対しても、Ｔｐ＝９８％、Ｒｓ＝９８％という特性を有している。なお、本発明光ヘッドの構成上、波長約４０５ｎｍのＲｓについては、いくらであっても構わない。
【００４２】
広帯域ＰＢＳ12を出射した光束は、合成プリズム7をほぼ１００％透過した後、コリメートレンズ8bにより略平行光束に変換される。また、合成プリズム7の上側を通過する光束は反射ミラー15により反射された後、その一部はフロントモニタ16に入射する。
【００４３】
コリメートレンズ8bを出射した光束は１／４波長板9bにより円偏光に変換され、図示せぬ立ち上げミラーにより、フォーカシング方向19に曲げられた後、アクチュエータ10に搭載された対物レンズ11bにより、ＤＶＤの信号記録面に光が絞り込まれる。ＤＶＤ光束に対する本対物レンズ11bのＮＡは、０．６３である。
【００４４】
光ディスクを反射した光束は、対物レンズ11bにより略平行光束に変換され、図示せぬ立ち上げミラーを反射した後、再び１／４波長板9bに入射し、その偏光方向を紙面に平行な向きへと変換される。１／４波長板9bを出射した光束はコリメートレンズ8bにより収束光に変換された後、合成プリズム7および広帯域ＰＢＳ12を透過し、検出レンズ13bにより光検出器14bに導かれる。
【００４５】
本発明光ヘッドでは、ＤＶＤ系の光束を、ＨＤ ＤＶＤの光束と同様、図５の受光面34、35、36に入射し、ＦＥＳ検出として非点収差方式および差動非点収差方式を、ＴＥＳ検出としてＤＰＰ方式およびＤＰＤ方式を使用する。
【００４６】
ＣＤ系の光束についても、ＤＶＤ系の光束と同様の光路を辿り、光検出器14bに導かれる。ＣＤ光束に対する対物レンズ11bのＮＡは、０．５１である。また、本発明光ヘッドでは、ＣＤ系の光束を、図５の受光面37、38、39に入射し、ＦＥＳ検出として非点収差方式を、ＴＥＳ検出としてＤＰＰ方式およびＤＰＤ方式を使用する。
【００４７】
以上に示したように、本発明光ヘッドでは、ＤＶＤ系、ＣＤ系共、ＴＥＳ検出にＤＰＰ方式を用いており、記録に対応することが可能となっている。
【００４８】
図７は、ノート型パーソナルコンピュータに搭載する薄型光ヘッド（以下スリム用光ヘッドと表記）における光学系配置の概略を示したものである。
【００４９】
ＢＤとＨＤ ＤＶＤは、使用するレーザの波長が同じであることから、ＢＤとＨＤ ＤＶＤを１つの対物レンズで互換する場合、ＢＤ、および／或いは、ＨＤ ＤＶＤの光利用効率が低くなり、少なくとも片方は記録用として使うことができない。したがって、ＢＤとＨＤ ＤＶＤの両方において記録に対応するためには、ＢＤ用対物レンズとＨＤ ＤＶＤ用対物レンズを光ヘッドに搭載しなければならない。また、ＢＤとＨＤ ＤＶＤに加え、ＤＶＤおよびＣＤについても記録まで対応する場合、１）ＤＶＤ／ＣＤ互換対物レンズを追加する３対物レンズ方式、および、２）上記、ＢＤ用対物レンズ、および／或いは、ＨＤ ＤＶＤ用対物レンズに互換作用を付加する２対物レンズ方式、の２つが考えられる。１）については、アクチュエータの体積および重量が増加し、加速度や振動特性を確保することが困難であること、スリム用光ヘッドへの実装が困難である。そこで、本発明光ヘッドでは、２）２対物レンズ方式を用いている。
【００５０】
２対物レンズ方式の場合、考えられる対物レンズと対応する媒体との組み合わせは、表１に示す４通りである。
【００５１】
【表１】
2009009676.tif 000003
ＢＤは、ＮＡが０．８５と大きく、また、温度特性（温度変化に伴う収差の増加）も問題となることから、プラスチック１枚（単玉）ではＢＤ用レンズを作成することが困難である。そこで、プラスチックの２枚組レンズ、或いは、ガラス１枚（単玉）とせざるを得ない。ガラス１枚（単玉）レンズの場合、ガラスに回折格子を切ることにより他の媒体との互換性を持たせることは、技術的には可能であるが、回折格子付きのガラスレンズは、量産性が悪く、非常に価格が高くなってしまう。したがって、表１のb、c、dのようにＢＤ用対物レンズに互換作用を持たせる場合には、プラスチックの２枚組レンズ（プラスチックレンズに互換用の回折格子を作成）、或いは、ガラス１枚（単玉）レンズに別体の回折格子を組み合わせた組レンズとするしかなく、いずれの場合でも２枚組となるため対物レンズの厚さが大きくなり、スリム用光ヘッドでは実装困難である。
それに対し、ＨＤ ＤＶＤ用対物レンズは、ＮＡが０．６５であり、プラスチック１枚（単玉）で構成可能なことから、対物レンズの表面に互換用の回折格子を作成し、ＤＶＤおよびＣＤの互換性を持たせることが可能である。以上の理由から、本発明光ヘッドでは、表１のaの構成を採用し、ガラス１枚（単玉）のＢＤ専用対物レンズと、プラスチック１枚（単玉）のＨＤ ＤＶＤ／ＤＶＤ／ＣＤ互換対物レンズを用いている。
【００５２】
次に、対物レンズおよび光学ユニットの配置について説明する。上記、ＢＤ用対物レンズとＨＤ ＤＶＤ／ＤＶＤ／ＣＤ互換対物レンズをスリム光ヘッドに配置する仕方としては、１）２つを光ディスクの半径方向17に配置する、２）２つを光ディスクの接線方向18に配置する、の２通りが考えられる。図７の（a）〜（c）に示すように、１）の場合、両方の対物レンズ11a、11b共、光ディスクの中心から光ヘッドの駆動方向に延びる軸20上に配置することができるため、ＢＤ／ＨＤ ＤＶＤ／ＤＶＤ／ＣＤの全てにおいて、３スポットを使用する通常のＤＰＰ方式を使用することが可能である。これに対し、図７の（d）〜（f）に示すように、２）の場合、少なくとも片方の対物レンズは上記軸20上に配置できないため、通常のＤＰＰ方式を使用すると、オフセンタした側では、光ディスクの内周と外周とで３スポットに対するトラックの角度が変化してしまう。このため、通常のＤＰＰ方式を使用することができない。なお、１）、２）以外の配置、即ち、半径方向17や接線方向18ではなく、斜めに２つのレンズを配置する場合も考えられるが、このような配置でも、２）の場合と同様、少なくとも片方の対物レンズはオフセンタし、ＤＰＰ方式を使うことができない。
【００５３】
スリム用光ヘッドでは、アクチュエータ可動部10、アクチュエータ固定部23、並びに、双方を連結するバーサスペンション22により、光ヘッドの半分近いスペースが使われる。したがって、光学系を小型化し、残りのスペースに実装可能にしなければならない。
【００５４】
２レンズ方式の場合、(a)、(d)のように、接線方向18から光束を入射する方法、(b)、(e)のように、接線方向18と半径方向17とから光束を入射する方法、(c)、(f)のように、半径方向17から光束を入射する方法が考えられる。この内、(c)、(f)は、光学ユニット21d、21hの実装スペースがとれないこと、バーサスペンション22が半径方向17から入射する光束を遮らないようにアクチュエータの形状を特殊なものとしなければならないことから、スリム用光ヘッドには不適である。また、(b)、(e)は、実装スペースが確保できる反面、(c)、(f)と同様にアクチュエータの形状を特殊なものとしなければならないこと、光学ユニット21b、21c、21f、21gは２つに分かれるため、１つの青色レーザで、ＢＤおよびＨＤ ＤＶＤに対応することが困難となり、高価な青色レーザを２つ搭載しなければならない、という問題点がある。
【００５５】
それに対して、(a)、(d)は実装スペースが確保しやすいこと、アクチュエータの性能が確保しやすいこと、１つの青色レーザでＢＤとＨＤ ＤＶＤとに対応することでできる、という点で優れている。
【００５６】
但し、(d)は、特開２００６−２４３５１号公報と同様に、ＢＤとＨＤ ＤＶＤとが同一光路をもつ構成となることから、ＢＤおよびＨＤ ＤＶＤの特性を確保することが困難であるのに対し、(a)の構成は、ＢＤおよびＨＤ ＤＶＤを独立に設計、および調整することができるため、ＢＤおよびＨＤ ＤＶＤの特性を確保することができる。
【００５７】
以上に示したように、本発明光ヘッドでは、ＢＤ専用レンズ11aとＨＤ ＤＶＤ／ＤＶＤ／ＣＤ互換対物レンズ11bとを半径方向17に並べ、接線方向から光束を入射する構成とすることにより、小型で安価なスリム用光ヘッドを実現している。
【００５８】
次に、本発明光ディスク装置について説明を行う。
【００５９】
図８は、本発明光ディスク装置の構成を示した概略図である（図は簡略のため、2次元で表記すると共に、光ヘッドの部品は省略して表示）。本発明光ディスク装置では、前述した本発明光ヘッド1が搭載されている。ここでは重複を避けるため光ヘッドの説明は簡略にすると共に、本発明光ディスク装置におけるＢＤ系について説明する。
【００６０】
本発明光ヘッド１は、ＢＤ／ＨＤ ＤＶＤ／ＤＶＤ／ＣＤ互換光ヘッドであり、レーザとして、波長約４０５ｎｍの半導体レーザ2aを１つ、波長約６５５ｎｍの半導体レーザと波長約７８５ｎｍの半導体レーザを１つのパッケージに収めた２波長レーザ2cを１つ、搭載している。また、対物レンズは、アクチュエータ10上に、ＢＤ専用レンズ11aとＨＤ ＤＶＤ／ＤＶＤ／ＣＤ互換対物レンズ11bの２つを光ディスクの半径方向17に並べて配置している。なお、アクチュエータ10は、フォーカシング方向19の移動、トラッキング方向17の移動、および光ディスクの半径方向17へのチルトが可能な、チルトアクチュエータとなっている。また、光検出器としては、ＢＤ用14aとＨＤ ＤＶＤ／ＤＶＤ／ＣＤ用14bの２つを、フロントモニタ16としては、ＢＤ／ＨＤ ＤＶＤ／ＤＶＤ／ＣＤ用の１つを搭載している。そして、ＢＤ系とＨＤ ＤＶＤ系の光路を切り換えるための液晶素子5、および、ＢＤにおいて球面収差を補正するためにコリメートレンズ8aを光軸方向に駆動するステッピングモータ26を搭載している。
【００６１】
半導体レーザ2aから出射された光束は、液晶素子5およびＰＢＳ6を透過し、コリメートレンズ8aにより略平行光束に変換された後、対物レンズ11aでＢＤ25の信号記録面に絞り込まれる。光ディスク25からの反射光は、対物レンズ11a、コリメートレンズ8aを通過し、ＰＢＳ6を反射した後、光検出器14aに入射する。光検出器14aに入射した光束は電気信号に変換された後、信号処理回路40においてサーボ信号、およびＲＦ信号等が検出される。
【００６２】
信号処理回路40において生成されたＦＥＳはフォーカス制御回路43に供給される。このフォーカス制御回路43において、アクチュエータ10の駆動信号を生成し、出力することにより、対物レンズ11aはフォーカシング方向19に制御され、フィードバックループのフォーカス制御を実現して、常に光ディスク25の記録層に対して合焦点にいる状態を保つ。
【００６３】
一方、前記信号処理回路40において生成されたＴＥＳは、トラッキング制御回路44に供給される。このトラッキング制御回路44において、アクチュエータ10の駆動信号を生成し、出力することにより、対物レンズ11aはトラッキング方向17に制御され、フィードバックループのトラッキング制御を実現して、常に光ディスク25の記録層におけるトラック上にいる状態を保つ。
【００６４】
また、トラッキング制御回路44から出力された駆動信号は図示せぬスレッド制御回路にも供給される。そして、スレッド制御回路において、対物レンズ11aのトラッキング方向へのずれ量に応じて図示せぬスレッドモ−タを制御する駆動信号が生成され、スレッドモ−タに出力される。これによって、スレッドモ−タを動かし、光ヘッド全体を光ディスク25の半径方向17に移動させる。
【００６５】
また、信号処理回路40では、光ディスク25から読み取った回転周期情報をスピンドル制御回路47に供給する。そして、スピンドル制御回路47において、上記回転周期情報に基づいてスピンドルモ−タ48を駆動する信号を生成し、これをスピンドルモ−タ48に出力する。
また、フロントモニタ16の出力をレーザ制御回路42にフィードバックすることにより、半導体レーザ2aからの出射光強度を一定にしている。
【００６６】
マイクロコンピュータ（以下、マイコンと表記）46は、回路の初期化等を行うと共に、レーザ制御回路42に対してレーザ点灯/消灯およびレーザパワーの指示を行う。また、コリメートレンズ駆動用ステッピングモ−タ26の駆動回路41に対して、駆動信号の生成／非生成の指示、フォーカス制御回路43に対して、フォーカスサーボループのオープン/クローズの指示、トラッキング制御回路44に対して、トラッキングサーボループのオープン/クローズの指示、スピンドル制御回路47に対してスピンドルの回転/停止および回転速度の指示等を行う。
【００６７】
また、アクチュエータチルト制御回路45に出力電圧を指示することで、アクチュエータチルト制御回路45からアクチュエータに駆動電圧が出力される。
また、ＢＤとＨＤ ＤＶＤとを切り換えるために、液晶素子制御回路49に、液晶素子5への駆動電圧の印加、或いは、駆動電圧印加解除を指示する。本発明光ディスク装置では、ＢＤの記録／再生を行う場合には液晶素子5を駆動せず、ＨＤ ＤＶＤの記録／再生を行う場合に、液晶素子5を駆動する。ＤＶＤ或いはＣＤの記録／再生を行う場合にも液晶素子5は駆動しない。
【００６８】
また、ＢＤの記録／再生を行う場合には、ＢＤ用光検出器14aをアクティブ状態にすると共に、ＨＤ ＤＶＤ／ＤＶＤ／ＣＤ用光検出器14bをスリープ状態にし、ＨＤ ＤＶＤ或いはＤＶＤ或いはＣＤの記録／再生を行う場合には、光検出器14aをスリープ状態にし、光検出器14bをアクティブ状態にする。そして、光ディスクの種類、および、記録或いは再生に対応して、光検出器14a、14bおよびフロントモニタ16のゲインを切り換える。
【００６９】
以上のように、本発明光ヘッドを搭載し、液晶素子5の駆動電圧を切り換えることにより、ＢＤおよびＨＤ ＤＶＤの両方において、良好な記録／再生品質を有する小型で安価な光ディスク装置を実現することができる。
【００７０】
次に、第一の実施例とは別の実施形態について説明する。図９は、本発明の別の実施形態による光ヘッドの光学系構成を示したものである。本実施例は、図１に示した光学系と比較して、ＢＤ系の部分のみが異なっていることから、ＢＤ系について簡単に説明する。
【００７１】
半導体レーザ2aから出射される、波長約４０５ｎｍで、偏光方向が紙面に略平行な向きの発散光は、液晶素子5に入射する。液晶素子5は、駆動電圧を印加した場合においては、入射した光束の偏光方向を紙面に略平行な向きから紙面に略垂直な向きへと変換する作用を有するのに対し、駆動電圧を印加しない場合においては、入射した光束の偏光方向を変えることなくそのまま透過させる、という作用を有する。
【００７２】
本発明光ヘッドのＢＤ系においては、液晶素子5に電圧を印加しないので、液晶素子5に入射した光束は、その偏光方向が紙面に略平行な向きのまま液晶素子5を出射し、偏光性回折格子4に入射する。本偏光性回折格子4は、紙面に平行な向きの偏光を有する光束が入射した場合には、回折格子として作用し、入射光束は０次光および±１次光の少なくとも３つの光束に分割されるのに対し、紙面に垂直な向きの偏光を有する光束が入射した場合には回折格子としての作用をせず、入射光束をそのまま透過させる。ＢＤ系では、紙面に略平行な向きの偏光を有する光束が入射するため、光束は少なくとも３つに分割され、ＰＢＳ6に入射する。入射した光束の大部分を占めるＰ偏光成分はＰＢＳ6を透過し、残りのＳ方向成分はＰＢＳ6を反射する。
【００７３】
なお、ＨＤ ＤＶＤ系の場合、液晶素子5に電圧を印加し、偏光方向を紙面に略垂直な方向に変換するため、偏光性回折格子4に入射した光束はこれを透過し、ＰＢＳ6を反射した後、回折格子3bにおいて、０次光および±１次光の少なくとも３つの光束に分割される。即ち、偏光性回折格子4はＢＤ専用回折格子、回折格子3bはＨＤ ＤＶＤ専用回折格子としての作用するため、各々を独立に調整することが可能である。上述したとおり、本発明光ヘッドでは、２つの対物レンズ11a、11bを光ディスクの半径方向17に並べ、且つ、対物レンズ11a、11bの中心を、光ディスクの中心から光ヘッドの駆動方向に延びる軸上に一致させることにより、ＢＤ／ＨＤ ＤＶＤ／ＤＶＤ／ＣＤのすべてにおいて、ＴＥＳ検出にＤＰＰ方式を用いることが可能となっている。
【００７４】
ＰＢＳ6を透過した偏光方向が紙面に平行な向きの光束は、コリメートレンズ8aにより略平行光束へと変換される。本コリメートレンズ8aは、図示せぬ駆動機構に取り付けられている。コリメートレンズ8aを出射した光束は、偏光性回折格子4aに入射する。偏光性回折格子4aを出射した光束は、１／４波長板9aに入射し、円偏光に変換された後、図示せぬ立ち上げミラーにより、フォーカシング方向19に曲げられ、アクチュエータ10に搭載された対物レンズ11aにより、ＢＤの信号記録面に光が絞り込まれる。光ディスクを反射した光束は、対物レンズ11aにより略平行光束に変換され、図示せぬ立ち上げミラーを反射した後、再び１／４波長板9aに入射し、その偏光方向を紙面に垂直な向きへと変換される。１／４波長板9aを出射した光束は、コリメートレンズ8aにより、収束光へと変換され、ＰＢＳ6を反射した後、検出レンズ13aにより光検出器14aに導かれる。
【００７５】
本光検出器14aの受光面パターンを図１０に示す。本発明光ヘッドのＢＤ系における受光面は、一般的に使用される、３つの４分割ディテクタ27、28、29を配置した構成であり、ＦＥＳ検出に非点収差方式を、ＴＥＳ検出に、ＤＰＰ方式およびＤＰＤ方式を使用している。
【００７６】
以上のように、本発明光ヘッドでは、ＢＤ／ＨＤ ＤＶＤ／ＤＶＤ／ＣＤのすべてにおいてＤＰＰ方式を使用することが可能となっていることから、全メディアにおいて記録にまで対応することができる。また、ＢＤとＨＤ ＤＶＤにおいて記録／再生信号品質が高く、且つ、小型で安価な光ヘッドを実現している。また、本発明光ヘッドを搭載した光ディスク装置は、ＢＤ／ＨＤ ＤＶＤ／ＤＶＤ／ＣＤのすべてにおいて記録にまで対応することができると共に、ＢＤとＨＤ ＤＶＤにおいて優れた記録／再生特性を有し、且つ、小型で安価な光ディスク装置を実現している。
【００７７】
以上に示した実施例では、偏光方向の切り換えに液晶素子を用いているが、液晶素子の代わりとして、例えば、１／２波長板を回転させる機構、或いは、１／２波長板を光路中に出し入れする機構を搭載してもよい。また、図１において偏光性回折格子4aを１／４波長板9aとＰＢＳ6との間に配置する代わりに、無偏光性の回折格子をＰＢＳ6と光検出器14aとの間に配置してもよい。ただし、この場合、回折格子に入射する光束の有効径が小さくなるため、格子パターンは図２と同様であるが、有効径が小さい分、同じく縮小される。また、ＤＶＤ／ＣＤ系に２波長レーザ2cを使用する代わりに、ＤＶＤ用レーザとＣＤ用レーザとを別個に搭載しても構わない。また、本発明の光学系に、光路を折り曲げるミラーや液晶収差補正素子等の光学素子を適宜追加してもよいことは言うまでも無い。
【図面の簡単な説明】
【００７８】
【図１】本発明光ヘッドにおける光学系構成とＢＤ光路を示した概略平面図である。
【図２】本発明光ヘッドのＢＤ系に搭載した偏光性回折格子のパターンを示した平面図である。
【図３】本発明光ヘッドのＢＤ用光検出器の受光面パターンを示した平面図である。
【図４】本発明光ヘッドにおける光学系構成とＨＤ ＤＶＤ光路を示した概略平面図である。
【図５】本発明光ヘッドのＨＤ ＤＶＤ／ＤＶＤ／ＣＤ用光検出器の受光面パターンを示した平面図である。
【図６】本発明光ヘッドにおける光学系構成とＤＶＤ／ＣＤ光路を示した概略平面図である。
【図７】スリム用光ヘッドにおける各光束の入射方法を示した概略平面図である。
【図８】本発明光ヘッドにおける別の実施例を示した概略平面図である。
【図９】本発明光ディスク装置の構成を示した概略平面図である。
【図１０】本発明光ヘッドのＢＤ用光検出器の受光面パターンを示した平面図である。
【符号の説明】
【００７９】
1…光ヘッド、2…半導体レーザ、3…回折格子、4…偏光性回折格子、5…液晶素子、6…ＰＢＳ、7…合成プリズム、8…コリメートレンズ、9…１／４波長板、10…アクチュエータ、11…対物レンズ、12…広帯域ＰＢＳ、13…検出レンズ、14…光検出器、15…反射ミラー、16…フロントモニタ、17…光ディスクの半径方向（トラッキング方向）、18…光ディスクの接線方向、19…フォーカシング方向、20…光ディスクの中心から光ヘッドの駆動方向に延びる軸、21…光学ユニット、22…バーサスペンション、23…アクチュエータ固定部、25…光ディスク、26…ステッピングモータ、40…信号処理回路、41…ステッピングモ−タ駆動回路、42…レーザ制御回路、43…フォーカス制御回路、44…トラッキング制御回路、45…アクチュエータチルト制御回路、46…マイコン、47…スピンドル制御回路、48…スピンドルモ−タ、49…液晶素子制御回路
【図１】
2009009676.tif 000004
【図２】
2009009676.tif 000005
【図３】
2009009676.tif 000006
【図４】
2009009676.tif 000007
【図５】
2009009676.tif 000008
【図６】
2009009676.tif 000009
【図７】
2009009676.tif 000010
【図８】
2009009676.tif 000011
【図９】
2009009676.tif 000012
【図１０】
2009009676.tif 000013